(57)【要約】本発明は、天然生物情報に基づく商品偽造防止検証システムに関する。前記システムは、商品と対応する唯一の偽造防止情報を生成する偽造防止情報生成モジュールと、偽造防止情報生成モジュールにより生成された唯一の偽造防止情報を記憶する偽造防止データベースと、偽造防止データベースに記憶された唯一の偽造防止情報に基づいて商品を偽造防止検証する偽造防止情報検証モジュールと、を含み、前記偽造防止情報生成モジュールは、商品と対応する唯一のアイデンティティ情報をランダムに生成するアイデンティティ情報生成器と、商品と対応する天然生物情報を生成する天然生物情報生成機構と、唯一のアイデンティティ情報と天然生物情報とをバインド、パッケージする情報バインダーと、を含む。従来技術と比較して、本発明は、容易に実現でき、偽造防止性能に優れ、コストが低いなどの利点を有する。【選択図】図１
2020521260.tif 000002
【特許請求の範囲】
【請求項１】
天然生物情報に基づく商品偽造防止検証システムであって、
商品と対応する唯一の偽造防止情報を生成する偽造防止情報生成モジュールと、
前記偽造防止情報生成モジュールにより生成された唯一の偽造防止情報を記憶する偽造防止データベースと、
前記偽造防止データベースに記憶された唯一の偽造防止情報に基づいて、商品を偽造防止検証する偽造防止情報検証モジュールと、を含み、
前記偽造防止情報生成モジュールは、
商品と対応する唯一のアイデンティティ情報をランダムに生成するアイデンティティ情報生成器と、
商品と対応する天然生物情報を生成する天然生物情報生成機構と、
前記アイデンティティ情報生成器により生成された唯一のアイデンティティ情報と、前記天然生物情報 生成機構により生成された天然生物情報とをバインド、パッケージする情報バインダーと、を含むことを特徴とする、天然生物情報に基づく商品偽造防止検証システム。
【請求項２】
前記天然生物情報生成機構は、
商品自体のテクスチャーが唯一の特徴を有する場合、商品自体における唯一の特徴がある部位に対して画像を採取する天然生物情報採取器と、
商品自体のテクスチャーが唯一の特徴を有さない場合、商品に天然生物情報を追加する天然生物情報追加器と、を含むことを特徴とする、請求項１に記載の天然生物情報に基づく商品偽造防止検証システム。
【請求項３】
前記天然生物情報の追加は、唯一の特徴を有する天然生物情報を偽造防止インクにより商品に追加することであることを特徴とする、請求項２に記載の天然生物情報に基づく商品偽造防止検証システム。
【請求項４】
前記唯一の特徴を有する天然生物情報は、指紋を含むことを特徴とする、請求項３に記載の天然生物情報に基づく商品偽造防止検証システム。
【請求項５】
前記偽造防止情報検証モジュールは、
商品のアイデンティティ情報を識別し、商品のアイデンティティを確定するアイデンティティ情報識別器と、
商品の天然生物情報に対して画像を採取する天然生物情報採取器と、
アイデンティティ情報識別器により確定された商品のアイデンティティ及び 天然生物情報採取器により採取された画像に基づいて、商品を偽造防止検証する偽造防止情報検証器と、を含むことを特徴とする、請求項１に記載の天然生物情報に基づく商品偽造防止検証システム。
【請求項６】
前記偽造防止検証は、以下のステップｓ１）からステップｓ３）を含み、
ステップｓ１）において、商品のアイデンティティ情報と前記偽造防止データベースにおける内容とを照合することにより、前記商品の存在を判断し、存在する場合、ステップｓ２）に入り、存在しない場合、前記商品が偽造品であることを示し、
ステップｓ２）において、前記偽造防止データベースにおける前記商品のアイデンティティ情報と対応する天然生物情報を読み取り、採取された画像と画像情報マッチングを行い、
ステップｓ３）において、マッチング結果が所定の閾値に達したか否かを判断し、達した場合、前記商品が正規品であることを示し、達していない場合、前記商品が偽造品であることを示すことを特徴とする、請求項５に記載の天然生物情報に基づく商品偽造防止検証システム。
【請求項７】
前記天然生物採取器が画像を採取する際に、光源の角度及び温度変化の両方を 所定の範囲内に制御する必要があることを特徴とする、請求項２又は５に記載の天然生物情報に基づく商品偽造防止検証システム。
【請求項８】
前記偽造防止情報検証モジュールは、商品の偽造防止検証結果を表示する検証結果表示機構をさらに含むことを特徴とする、請求項１に記載の天然生物情報に基づく商品偽造防止検証システム。
【請求項９】
前記検証結果表示機構は、ディスプレイ及び無線通信装置を含み、前記無線通信装置がユーザーの知能電子機器に接続されることを特徴とする、請求項８に記載の天然生物情報に基づく商品偽造防止検証システム。
【請求項１０】
前記唯一のアイデンティティ情報は、一次元コード、二次元コード、三次元コード、シリアル番号又はＲＦＩＤタグを含むことを特徴とする、請求項１に記載の天然生物情報に基づく商品偽造防止検証システム。
【発明の詳細な説明】
【技術分野】
【０００１】
本発明は、偽造防止の技術分野に関し、特に天然生物情報に基づく商品偽造防止検証システムに関する。
【背景技術】
【０００２】
電子商取引、代理購入などの業界の発展に伴い、買い物はより速く、便利になっている一方、偽造品が溢れている。特に、いわゆる「Ａランク」の偽造品は、正規店に持ち込まれても気づかれないこともある。不法の者がこれをもって不当な利益を得ると同時に、ブランドや消費者に不利益をもたらす。消費者の権利を守るために、オンラインショッピングに関する条例が制定されており、例えば、消費者は、インタネットなどにより買い物をした場合、商品が届いてから７日以内であれば、理由なしで返品する権利を有する。
【０００３】
しかし、この制度を利用し、本物を買って偽物で返品する人がいる。この場合、経験豊富なスタッフ又は商品の特徴、例えば、タグ、パッケージ、盗難防止バックルなどによって商品の真偽を判断することができるが、速く、正確に判断することができないので、見逃して偽物を本物として返品を受けることがよくあり、ブランドに不利益をもたらし、ビジネス環境に影響を与える恐れがある。
【０００４】
現在、よく使われている偽造防止の方法は、二次元コードによる偽造防止の方法である。しかし、この方法には、以下の欠陥がある。商品に印刷された二次元コードが無期限に繰り返してクエリすることができるので、偽造品に正規品と同じ二次元コードを印刷することを防ぐために、従来の二次元コードラベルに対して塗層、繊維などのメディアインク、特殊な回折格子などの特殊な材料又はプロセスによる偽造防止技術を採用することで、二次元コードによる偽造防止のコストが高くなり、偽造防止が困難になり、それにしても偽造の完全防止を達成できず、消費者が使用可能な効率的な判断手段がないので、人による比較は、信頼性が低く、時間と労力がかかり、普及されにくい問題がある。そこで、従来の物理的な偽造防止方法は、偽造防止効果には改善の余地がある。
【０００５】
中国特許出願ＣＮ２００８１００９７５１３には、ランダムテクスチャによる偽造防止を用いる製品及び方法が開示されている。当該偽造防止方法では、繊維、糸状物をランダムに商品の特定の領域表面に付着し、これらの付着物（繊維、糸状物）の方向（垂直または水平）などの情報をデジタルに変換し、「０」及び「１」からなる２進数（又は３進数、４進数など）にコード化することにより、異なる商品を区別する効果が達成され、実質的な唯一性が実現される。しかし、この方法には、以下の欠陥が存在する。付着物は商品表面に追加されるものであり、「０」及び「１」からなる２進数（又は３進数、４進数など）にコード化される繊維又は糸状物の角度の許容範囲が非常に大きく、依然として再現性を有する。撮影、変換、エンコードプログラムだ系により、正規品に対応する２進数（又は３進数、４進数など）が得られ、そして、この特徴領域の繊維又は糸状物の方向（垂直又は水平）などの要求を導き出し、手動で対応する繊維又は糸状物を要求に従って偽造品の表面に付着することにより、正規品の識別情報を複製することができる。このような偽造品上の繊維、糸状物の方向が正規品と厳密に同じではなく、大体同じであればよい。このような偽造法には多少の困難があり、コストが高いが、価値の高い商品については、利益がある。また、このような偽造防止法は、商品の表面を加工する必要があるので、生産を難しくするだけでなく、製品表面を損傷し、ある程度に経済的損失をもたらす恐れがある。
【発明の概要】
【０００６】
本発明は、前記問題に対して天然生物情報に基づく商品偽造防止検証システムを提供することを目的とする。
【０００７】
本発明の目的は、以下の技術的解決策により実現することができる。
【０００８】
天然生物情報に基づく商品偽造防止検証システムであって、
商品と対応する唯一の偽造防止情報を生成する偽造防止情報生成モジュールと、
偽造防止情報生成モジュールにより生成された唯一の偽造防止情報を記憶する偽造防止データベースと、
偽造防止データベースに記憶された唯一の偽造防止情報に基づいて商品を偽造防止検証する偽造防止情報検証モジュールと、を含み、
前記偽造防止情報生成モジュールは、
商品と対応する唯一のアイデンティティ情報をランダムに生成するアイデンティティ情報生成器と、
商品と対応する天然生物情報を生成する天然生物情報生成機構と、
アイデンティティ情報生成器により生成された唯一のアイデンティティ情報と天然生物情報生成機構により生成された天然生物情報とをバインド、パッケージする情報バインダーと、を含み、
前記天然生物情報生成機構は、
商品自体のテクスチャーが唯一の特徴を有する場合、商品自体における唯一の特徴がある部位に対して画像を採取する天然生物情報採取器と、
商品自体のテクスチャーが唯一の特徴を有さない場合、商品に対して天然生物情報を追加する天然生物情報追加器と、を含む天然生物情報に基づく商品偽造防止検証システム。
【０００９】
前記天然生物情報の追加は、具体的には、唯一の特徴を有する天然生物情報を偽造防止インクにより商品に追加することである。
【００１０】
前記唯一の特徴を有する天然生物情報は、指紋を含む。
【００１１】
前記偽造防止情報検証モジュールは、
商品のアイデンティティ情報を識別し、商品のアイデンティティを確定するアイデンティティ情報識別器と、
商品の天然生物情報に対して画像を採取する天然生物情報採取器と、
アイデンティティ情報識別器により確定された商品のアイデンティティ及び天然生物情報採取器により採取された画像に基づいて商品を偽造防止検証する偽造防止情報検証器と、を含む。
【００１２】
前記偽造防止検証は、以下のステップｓ１）からステップｓ３）を含み、
ステップｓ１）において、商品のアイデンティティ情報と偽造防止データベースにおける内容とを照合することにより、前記商品の存在を判断し、存在する場合、ステップｓ２）に入り、存在しない場合、前記商品が偽造品であることを示し、
ステップｓ２）において、偽造防止データベースにおける商品のアイデンティティ情報と対応する天然生物情報を読み取り、採取された画像と画像情報マッチングを行い、
ステップｓ３）において、マッチング結果が所定の閾値に達したか否かを判断し、達した場合、前記商品が正規品であることを示し、達していない場合、前記商品が偽造品であることを示す。
【００１３】
前記天然生物採取器が画像を採取する際に、光源の角度及び温度変化の両方を所定の範囲内に制御する必要がある。
【００１４】
前記偽造防止情報検証モジュールは、商品の偽造防止検証結果を表示する検証結果表示機構をさらに含む。
【００１５】
前記検証結果表示機構は、ディスプレイと、ユーザーの知能電子機器に接続される無線通信装置とを含む。
【００１６】
前記唯一のアイデンティティ情報は、一次元コード、二次元コード、三次元コード、シリアル番号またはＲＦＩＤタグを含む。
【００１７】
本発明は、従来技術と比較して以下の有益な効果を有する。
（１）偽造防止情報生成モジュールにアイデンティティ情報生成器及び天然生物情報生成機構を設け、商品のアイデンティティ情報と商品自体の天然生物情報とを１対１対応させることにより、商品表面の繊維をバイナリコード化する場合と比較して、本発明の偽造防止は、実現されやすくなり、コストが低くなるとともに、天然生物情報が加工などの方式により実現されることではないので、偽造することはほとんど不可能であり、偽造防止の効果が高い。
【００１８】
（２）天然生物情報生成機構は、天然生物情報採取器及び天然生物情報追加器を含み、商品自体のテクスチャーが唯一の特徴を有する場合、この商品の天然生物情報のみを偽造防止の基準として採取することができる一方、商品自体のテクスチャーが唯一の特徴を有さない場合、天然生物情報追加器により商品に天然生物情報を付することができ、これによって、全ての商品はいずれも独特な特徴を有することが保証されるため、偽造されにくくなり、偽造防止の効果が向上する。
【００１９】
（３）天然生物情報の追加は、具体的には、唯一の特徴を有する天然生物情報を偽造防止インクにより商品に追加することである。偽造防止インクにより天然生物情報を追加することにより、追加された天然生物情報が破壊されにくい一方、追加された天然生物情報の偽造防止性能は、偽造防止インクによりさらに向上する。
【００２０】
（４）唯一の特徴を有する天然生物情報は、指紋を含む。個々人の指紋の紋様は、パターン、端点及び分岐点のいずれにも異なるため、唯一である。また、指紋を押すときの力の強さによって、形成されたテクスチャーの深さ、大きさ及び領域が異なるため、模倣されることができない。さらに、多種の変化の組み合わせは、数字と同じランダムな組み合わせの確率を達成し、千億レベル以上の変化を満たすとともに、異なるアイデンティティに同じパターンを使用するランダムな特徴変化に対するメーカーの需要を完全に満たすことができる。
【００２１】
（５）偽造防止情報検証モジュールは、偽造防止検証を行う過程において、まず、偽造防止データベースには返品・交換される商品のアイデンティティ情報が存在するか否かを一次偽造防止検証保証として確認し、この商品のアイデンティティが確かに存在することを確認した後、さらに、画像を採取して偽造防止データベースにおけるアイデンティティ情報と対応する天然生物情報とマッチングし、二次（主な）偽造防止検証保証とする。このような二段階の偽造防止検証により、模倣されるリスクがほとんど回避され、偽造防止の効果が大幅に向上する。
【００２２】
（６）天然生物採取器により画像を採取する際に、光源の角度及び温度変化の両方を所定の範囲内に制御して初めて対応する画像を採取することができる。これによって、対応する画像の偽造が難しくなるため、商品を容易に複製することができないとともに、商品の外観に影響を与えない。
【００２３】
（７）偽造防止情報検証モジュールは、検証結果表示機構をさらに含み、この検証結果表示機構は、ディスプレイ及び無線通信装置を含む。ディスプレイにより検証結果を表示し、無線通信装置によりユーザーの知能電子機器に接続されることによって、無線伝送により検証結果をユーザーの電子機器に伝送できるため、ユーザーは、いつでもどこでも結果をチェックし、保存することができる。
【００２４】
（８）唯一のアイデンティティ情報は、一次元コード、二次元コード、三次元コード、シリアル番号またはＲＦＩＤタグを含むことにより、実際の状況に応じて選択することができるため、柔軟な実現が可能であり、使用範囲が広い。
【図面の簡単な説明】
【００２５】
【図１】本発明のシステム構造の模式図である。
【図２】本発明のシステムにより偽造防止を実現するフローチャートである。
【発明を実施するための形態】
【００２６】
以下、図面及び具体的な実施例を参照しながら本発明を詳しく説明する。本実施例は、本発明の技術手段を前提として実施され、詳細な実施形態及び具体的な操作過程操が挙げられるが、本発明の保護範囲は、以下の実施例に限定されない。
【００２７】
図１に示すように、本実施例は、天然生物情報に基づく商品偽造防止検証システムを提供する。このシステムは、商品と対応する唯一の偽造防止情報を生成する偽造防止情報生成モジュール１と、偽造防止情報生成モジュール１により生成された唯一の偽造防止情報を記憶する偽造防止データベース２と、偽造防止データベース２に記憶された唯一の偽造防止情報に基づいて商品を偽造防止検証する偽造防止情報検証モジュール３と、を含む。偽造防止情報生成モジュール１は、商品と対応する唯一のアイデンティティ情報をランダムに生成するアイデンティティ情報生成器１１と、商品と対応する天然生物情報を生成する天然生物情報生成機構１２と、アイデンティティ情報生成器１１により生成された唯一のアイデンティティ情報と天然生物情報生成機構により生成された天然生物情報とをバインド、パッケージする情報バインダー１３と、を含む。
【００２８】
天然生物情報生成機構１２は、商品自体のテクスチャーが唯一の特徴を有する場合、商品自体における唯一の特徴を有する部位に対して画像を採取する天然生物情報採取器３２と、商品自体のテクスチャーが唯一の特徴を有さない場合、商品に天然生物情報を追加する天然生物情報追加器と、を含む。天然生物情報の追加は、具体的には、唯一の特徴を有する天然生物情報を偽造防止インクにより商品に追加することである。唯一の特徴を有する天然生物情報は、指紋を含む。偽造防止情報検証モジュール３は、商品のアイデンティティ情報を識別し、商品のアイデンティティを確定するアイデンティティ情報識別器３１と、商品の天然生物情報に対して画像を採取する天然生物情報採取器３２と、アイデンティティ情報識別器３１により確定された商品のアイデンティティ及び天然生物情報採取器３２により採取された画像に基づいて商品を偽造防止検証する偽造防止情報検証器３３と、を含む。天然生物採取器により画像を採取する際に、光源の角度及び温度変化の両方を所定の範囲内に制御する必要がある。偽造防止情報検証モジュール３は、商品の偽造防止検証結果を表示する検証結果表示機構をさらに含む。検証結果表示機構は、ディスプレイと、ユーザーの知能電子機器に接続される無線通信装置とを含む。唯一のアイデンティティ情報は、一次元コード、二次元コード、三次元コード、シリアル番号又はＲＦＩＤタグを含む。
【００２９】
前記システムに基づいて偽造防止を実現する具体的な過程は、図２に示される。まず、アイデンティティ情報生成モジュールにより、唯一のＩＤ番号を生成して具体的な商品とバインドし、このＩＤ番号を有する商品の特定領域の材質の表面のオリジナル画像情報を取得し、このＩＤ番号及び対応するオリジナル画像情報存を検証サーバーの偽造防止データベース２に記憶する。返品・交換された商品を受け取った後、再度取得されたこの唯一のＩＤ番号を有する商品の特定領域の材質の表面画像情報とこのＩＤ番号とをに組み合わせて偽造防止検証請求として偽造防止情報検証器３３に送信する。偽造防止情報検証器３３が偽造防止検証請求におけるＩＤ番号を検索し、偽造防止検証請求における画像情報と偽造防止データベース２におけるこのＩＤ番号に対応するオリジナル画像情報に対してテクスチャー照合検証を行い、検証結果を表示する。
【００３０】
消費者又は商家が検証を行うときに、製品の生物天然テクスチャーの特徴画像を採取した後、検証システムに送信し、システムにより出荷時に記憶されたこのアイデンティティに対応する商品の生物天然テクスチャーの特徴画像情報と照合し、残差と予測値を取得することにより、システムに記録された製品と同じか否かを自動的に判断し、データ結果を消費者又は商家に提供する。生物特徴識別とは、生物天然テクスチャー特徴画像採取技術、画像前処理技術、及び画像照合技術に基づいて、数学関数の運算によりマッチング、判断する国際的に進歩した識別技術であり、顔識別、指紋識別などの勤務評定に使用されている。
【００３１】
ブランド商品に固有の生物天然テクスチャー特徴、例えば、皮質の特殊なテクスチャー又は特定領域の模様のランダム性、或いはブランド商品に追加された偽造防止インクによる特殊な生物天然テクスチャー特徴標識により、特定の光源又は温度変化処理によって初めて特殊なパターンが現れる。
【００３２】
ブランド商品に固有の生物天然テクスチャー特徴に基づいて商品真偽情報を取得する。システムは、提供された商品のアイデンティティ番号に基づいて、提示将この商品の特定領域の生物天然テクスチャー特徴、例えば、皮質の特殊なテクスチャー、特定領域の模様のランダム性、又はブランド商品に追加された偽造防止インクによる特殊な生物天然テクスチャー特徴標識を、システムに合わせる特殊な光源又は温度変化の条件で処理して初めて現れる特殊なパターンを撮影して採取することを指示する。前記パターンがアップロードされた後、システムは、関連データを自動的に取得しアルゴリズムを実行することで知能真偽判断情報を取得する。
【００３３】
ブランド商家が商品を出荷する前に生物天然テクスチャー特徴の画像採取処理を行い、即ち、正規品に付属されるパッケージ、ラベルなどを用い、知能真偽判断管理システムにより、システムに記録されたこのアイデンティティＩＤに対応する商品の特定領域に対して再度生物天然テクスチャー特徴の画像を採取し、アルゴリズムにより、関連データをマッチングして計算を運算することにより、システムは、自動的に判断する。ブランド偽造防止真偽判断管理の有効な手段である。特定領域生物天然テクスチャー特徴の唯一性及び複製不能性により、偽造品がブランドメーカー及び消費者にもたらす利益損失が効果的に防止され、消費者環境が規制され、消費者の利益及びブランドの信用が保護され、良好な消費環境が創造される。
【００３４】
具体的には、７日間理由なしで返品との制度を悪用して偽物で返金を求める場合を例として説明する。まず、出荷する前に、倉庫内で生物天然テクスチャー特徴を採取して記憶する。商品に固有のテクスチャー特徴である場合、特定座標を中心とする領域を選択し、この商品の唯一のＩＤを採取された生物天然テクスチャーにバインドしてデータベースシステムに記憶する。商品自体に顕著な生物特徴テクスチャーがない場合、商家の特殊なランダムテクスチャ又は指紋を用い、偽造防止インクにより所定の領域で標識し、光源制御及び温度制御を兼ね備えた 生物天然テクスチャー特徴画像装置により所定の領域画像を生物天然テクスチャー特徴画像照合用の基礎画像として採取する。同時に、ラベルアのイデンティティＩＤ番号で命名し、この商品の唯一のＩＤを採取された生物天然テクスチャー画像とバインドしてデータベースシステムに記憶する。返品が倉庫に届いた後、商品に固有のテクスチャー特徴である場合、特定座標を中心とする領域を選択し、商品自体に顕著なテクスチャー特徴がない場合、商品の唯一のＩＤに基づいてデータベースから基礎画像に対応する画像領域を検索し、光源制御控制及び温度制御を兼ね備えた生物天然テクスチャー特徴画像装置により、この領域に標識されたランダムパターン又は指紋テクスチャーを表す。次いで、画像処理、照合を行い、システムにより判断してマッチングする。まず、プログラムによりビットマップ画像をローディングし、ベクトル図に変換し、次いで生物特徴とパターンのテクスチャーをマッチングし、類似度の照合を行う。画像処理技術により、アルゴリズムに従って類似度をマッチングにより算出し、類似度の値に基づいてシステムは同一商品であるか否かを判断する。
【００３５】
上記手段を例として説明する。消費者が店頭又は電子商取引サイトで買い物した後、偽物で返品する場合、例えば、年間、単品ごとに１００個の偽物を受け、各商品の価値を￥５，０００元／点とすると、年間損失は￥５００，０００元になり、また、一般には、ブランド商品の単品種類が数百から数千であるため、ブランドの年間損失は、５００万〜数億元に達すると考えられる。本発明の上記実施形態によれば、生物天然テクスチャー特徴の真偽判断システムを用いることにより、これらの損失は基本的に回避することができる。
【符号の説明】
【００３６】
１：偽造防止情報生成モジュール
２：偽造防止データベース
３：偽造防止情報検証モジュール
１１：アイデンティティ情報生成器
１２：天然生物情報生成機構
１３：情報バインダー
３１：アイデンティティ情報識別器
３２：天然生物情報採取器
３３：偽造防止情報検証器
【図１】
2020521260.tif 000003
【図２】
2020521260.tif 000004
【国際調査報告】
2020521260.tif 000005
2020521260.tif 000006
2020521260.tif 000007
2020521260.tif 000008